(57)【特許請求の範囲】
【請求項１】
内部にランプ収納部を有したランプケース本体と、このランプケース本体の一面側に形成されて平板状のレンズが載置・当接される当接面と、この当接面から突設されて前記レンズの板厚方向に形成された挿通孔に挿通される円柱状の固定ピンとからなり、前記当接面と前記固定ピンの外周面で２つの金型の合わせ面が形成され、かつ２つの金型の抜き方向に対して前記当接面が傾斜して前記ランプケース本体が成形されて前記挿入孔に挿通した前記固定ピンを溶着することで前記ランプケースに平板状のレンズを固定するランプケースへのレンズの固定構造であって、
２つの金型の抜き方向に沿う前記ランプケース本体の外周面と前記当接面とが連続する外周端から連続し、前記外周端において前記固定ピンの外周面の半周部分が前記ランプケース本体の外周面より外側に位置するように前記固定ピンを前記当接面に対して垂直方向に突設したことを特徴とするランプケースへのレンズの固定構造。
【請求項２】
請求項１記載のランプケースへのレンズの固定構造であって、前記固定ピンが前記当接面の外周端に設けられていることを特徴とするランプケースへのレンズの固定構造。
【発明の詳細な説明】
【０００１】
【発明の属する技術分野】
本発明は、レンズをランプケースに固定するランプケースへのレンズの固定構造に関する。
【０００２】
【従来の技術】
図３（ａ）は、ランプケース１と、このランプケース１に固定されたレンズ２を示す。ランプケース１は、内部にランプ収納部３を有するランプケース本体４と、ランプケース本体４に設けられたレンズ固定用の固定ピン５とからなる。ランプケース本体４には、このランプケース本体４を成型する金型の抜き方向（矢印Ａ方向）に対して傾斜した当接面６が形成されている。この当接面６には、ランプ収納部３の一側を開放する開口部７が形成されている。また、開口部７の縁部であって当接面６に、金型の抜き方向と同方向に向けて円柱状の固定ピン５が突設されている。
【０００３】
一方、レンズ２は、平板状で、一側に板厚方向に沿って挿通孔８が形成されている。この挿通孔８内には、上記固定ピン５が挿通される。
【０００４】
上記ランプケース１にレンズ２を固定するには、図３（ａ）に示すように、ランプケース本体４の当接面６側にレンズ２を載置し、レンズ２の挿通孔８内に固定ピン５を挿通させる。次に、図３（ｂ）に示すように、レンズ２の挿通孔８から突出した固定ピン５の先端部を、溶着治具９で溶着し挿通孔８内からの固定ピン５の抜けを阻止する。これにより、レンズ２がランプケース１に固定される。
【０００５】
【発明が解決しようとする課題】
ところが、図３（ｂ）に示すように、レンズ２の挿通孔８の内壁８ａは、固定ピン５の外周に対して傾斜するため、内壁８ａと固定ピン５の外周との間に隙間Ｓが生じる。このため、固定ピン５を溶着しても溶着性が悪く、レンズ２がランプケース１に対してがたつき、レンズ２をランプケース１に対して安定して固定することができない。
【０００６】
これを改善するため、図４に示すように、固定ピン５の一方の外周を当接面６に対して垂直にし、挿通孔８の内壁８ａと、固定ピン５の外周の一部５ａが面接触して隙間Ｓが生じないようにすることが考えられるが、固定ピン５の他部５ｂも挿通孔８の内壁８ａと面接触させようとすると、ランプケース本体４の抜け方向に対してアンダーカット部分Ｐが生じるため、固定ピン５の他部側はランプケース本体４の抜け方向と同じ方向に設定しなければならない。この結果、図４に示すように、挿通孔８の内壁８ａと固定ピン５の他部５ｂ側との間には隙間Ｓが生じてしまう。従って、レンズ２をランプケース本体４に安定して固定することができなかった。
【０００７】
そこで、本発明は、レンズをランプケースに固定する際に、溶着性を向上して安定した固定が得られるランプケースへのレンズの固定構造の提供を目的とする。
【０００８】
【課題を解決するための手段】
上記目的を達成するため、請求項１の発明は、内部にランプ収納部を有したランプケース本体と、このランプケース本体の一面側に形成されて平板状のレンズが載置・当接される当接面と、この当接面から突設されて前記レンズの板厚方向に形成された挿通孔に挿通される円柱状の固定ピンとからなり、前記当接面と前記固定ピンの外周面で２つの金型の合わせ面が形成され、かつ２つの金型の抜き方向に対して前記当接面が傾斜して前記ランプケース本体が成形されて前記挿入孔に挿通した前記固定ピンを溶着することで前記ランプケースに平板状のレンズを固定するランプケースへのレンズの固定構造であって、２つの金型の抜き方向に沿う前記ランプケース本体の外周面と前記当接面とが連続する外周端から連続し、前記外周端において前記固定ピンの外周面の半周部分が前記ランプケース本体の外周面より外側に位置するように前記固定ピンを前記当接面に対して垂直方向に突設したことを特徴とする。
【０００９】
この固定構造では、当接面に対して垂直方向に向けて固定ピンを突設したことで、挿通孔の内壁と固定ピンの外周面とが面接触するので、隙間が生じることがない。この結果、固定ピンを溶着すると溶着性が向上し、レンズをランプケース本体に対して安定して固定することができる。
【００１０】
この場合、固定ピンの外周面の一部を前記当接面の外周端から連続するように形成したことで、ランプケース本体を成形する金型の抜き方向に対するアンダーカット部分がなくなる。この結果、固定ピンを略円柱状に形成することができて、この固定ピンを挿通孔に挿通させたとき、固定ピンの外周と挿通孔の内壁とが面接触する。
【００１１】
請求項２の発明は、請求項１記載のランプケースへのレンズの固定構造であって、前記固定ピンが前記当接面の外周端に設けられていることを特徴としている。
【００１２】
この固定構造では、固定ピンが当接面の外周端に設けられ、当接面に対して垂直に向けて突設されているので、固定ピンを略円柱状に形成することができる。この結果、挿通孔の内壁と固定ピンの外周面とを面接触させることができる。
【００１３】
【発明の実施の形態】
以下、本発明に係るランプケースへのレンズの固定構造の実施形態について説明する。図１（ａ）は、この固定構造によりランプケース１１にレンズ１２が固定された状態を示すと共に、ランプケース本体１４を成形する金型２１、２２を示し、（ｂ）は固定ピン１５を挿通孔１８内に挿通した状態を上方から見た平面図である。
【００１４】
図１（ａ）、（ｂ）に示すように、ランプケース１１は、内部にランプ収納部１３を有したランプケース本体１４と、該ランプケース本体１４を成形する金型の抜き方向（矢印Ａ方向）に対して傾斜したランプケース本体１４の一面側に設けられた当接面１６と、この当接面１６から突設された円柱状の固定ピン１５とを備えている。
【００１５】
そして、ランプケース１１に、固定ピン１５が挿通される挿通孔１８が板厚方向に形成された平板状のレンズ１２を挿通孔１８に挿通した固定ピン１５を溶着することでランプケース１１にレンズ１２が固定される。
【００１６】
また、本実施形態では、固定ピン１５がランプケース本体１４の当接面１６に対して垂直方向に突設すると共に、固定ピン１５の外周面１５ａの一部を当接面１６の外周端１６ａから連続するように形成されている。この結果、ランプケース本体１４を成形する際にアンダーカットとなる部分が生じることがない。
【００１７】
図２（ａ）、（ｂ）は、ランプケース本体１４を成形する金型２１、２２を示す。ランプケース本体１４の外周部分（下部側）を形作る金型２２と、内周部分（上部側）を形作る金型２１との合わせ面（パーティングライン２４）は固定ピン１５の中心線上で型をすり合わせるようになっている。また、金型２１と金型２２との間にランプケース本体１４及びこのランプケース本体１４から突設された固定ピン１５を形作るキャビティ２３が設けられている。
【００１８】
本実施形態によれば、当接面１６に対して垂直方向に向けて固定ピン１５を突設したことで、挿通孔１８の内壁１８ａと固定ピン１５の外周面とが面接触し、隙間が生じないので、固定ピン１５を溶着した際にレンズ１２がランプケース本体１４に対してがたつくことがなく、安定して固定することができる。
【００１９】
この場合、固定ピン１５の外周面１５ａの一部を当接面１６の外周端１６ａから連続するように形成したことで、ランプケース本体１４の抜き方向に対するアンダーカット部分がなくなる。この結果、固定ピン１５を略円柱状に形成することができる。
【００２０】
なお、本実施形態では、固定ピン１５の一部が、ランプケース本体１４の外周壁の一部をかねているが、固定ピン１５を当接面１６の外周端１６ａから突出するようにしても良い。
【００２１】
【発明の効果】
以上説明したように請求項１の発明によれば、当接面に対して垂直方向に向けて固定ピンを突設したことで、挿通孔の内壁と固定ピンの外周面とが面接触しＭ隙間が生じることがない、この結果、固定ピンを溶着すると溶着性が向上し、レンズをランプケース本体に対して安定して固定することができる。
【００２２】
この場合、固定ピンの外周面の一部を前記当接面の外周端から連続するように形成したことで、ランプケース本体の抜き方向に対するアンダーカット部分がなくなる。この結果、固定ピンを略円柱状に形成することができて、この固定ピンを挿通孔に挿通させたとき、固定ピンの外周と挿通孔の内壁とが面接触し、隙間がなくなるためレンズがランプケース本体に対してがたつくことがなく安定して固定することができる。
【００２３】
請求項２の発明によれば、固定ピンが当接面の外周端に設けられ、当接面に対して垂直に向けて突設されているので、固定ピンを略円柱状に形成することができる。この結果、挿通孔の内壁と固定ピンの外周面とを面接触し、隙間がなくなるので、レンズをランプケース本体に対して安定して固定することができる。
【図面の簡単な説明】
【図１】本発明に係るランプケースへのレンズの固定構造によりランプケースにレンズが固定された状態を示し、（ａ）はランプケース本体を成形する金型と共に示す断面図、（ｂ）は平面図である。
【図２】ランプケース本体を成形するための金型の構造を示し、（ａ）は図１（ｂ）のＩＩａ−ＩＩａ線に沿って切断した断面図、（ｂ）は図１（ｂ）のＩＩｂ−ＩＩｂ線に沿って切断した断面図である。
【図３】従来の固定構造によりランプケース本体にレンズが取り付けられた状態を示し、（ａ）は固定ピンを溶着する前の状態を示す断面図、（ｂ）は固定ピンを溶着した状態を示す断面図である。
【図４】従来の他の固定構造によりランプケース本体にレンズが取り付けられた状態を示す断面図である。
【符号の説明】
１１  ランプケース
１２  レンズ
１３  ランプ収納部
１４  ランプケース本体
１５  固定ピン
１５ａ  外周面
１６  当接面
２１、２２  金型
【図１】
0003701483.tif 000002
【図２】
0003701483.tif 000003
【図３】
0003701483.tif 000004
【図４】
0003701483.tif 000005